(57)【要約】【課題】ＯＦＤＭ変調方式により無線通信を行うに際して、受信側でＦＦＴ窓の位置を効果的に設定することを可能とする。【解決手段】ＯＦＤＭ通信装置の送信機（１）、（２）で、遅延情報受信手段２、１２が自装置から信号を送信する先となる受信側の装置（受信機）から当該信号の遅延時間に関する情報を受信し、ＩＦＦＴ処理手段１、１１が送信対象となる信号をＩＦＦＴ処理し、並べ換え結果生成手段２、１２が受信された情報に基づいて前記遅延時間を送信側で補償するようにＩＦＦＴ処理結果のシンボル列を並べ換えたシンボル列を生成し、ガードインターバル付加手段３、１３が生成されたシンボル列にガードインターバルを付加し、無線送信手段６、１６がガードインターバルが付加されて生成されたＯＦＤＭ信号を無線により送信する。【選択図】  図１
2009017181.tif 000002
【特許請求の範囲】
【請求項１】
ＯＦＤＭ変調方式により無線通信を行うＯＦＤＭ通信装置において、
自装置から信号を送信する先となる受信側の装置から当該信号の遅延時間に関する情報を受信する遅延情報受信手段と、
送信対象となる信号をＩＦＦＴ処理するＩＦＦＴ処理手段と、
前記遅延情報受信手段により受信された情報に基づいて、前記遅延時間を送信側で補償するように、前記ＩＦＦＴ処理手段によるＩＦＦＴ処理結果のシンボル列を並べ換えたシンボル列を生成する並べ換え結果生成手段と、
前記並べ換え結果生成手段により生成されたシンボル列にガードインターバルを付加するガードインターバル付加手段と、
前記ガードインターバル付加手段によりガードインターバルが付加されて生成されたＯＦＤＭ信号を無線により送信する無線送信手段と、
を備えたことを特徴とするＯＦＤＭ通信装置。
【請求項２】
ＯＦＤＭ変調方式により送信側のＯＦＤＭ通信装置と受信側のＯＦＤＭ通信装置とが無線通信を行う無線通信システムにおいて、
前記送信側のＯＦＤＭ通信装置は、自装置から信号を送信する先となる前記受信側のＯＦＤＭ通信装置から当該信号の遅延時間に関する情報を受信する遅延情報受信手段と、
送信対象となる信号をＩＦＦＴ処理するＩＦＦＴ処理手段と、
前記遅延情報受信手段により受信された情報に基づいて、前記遅延時間を送信側で補償するように、前記ＩＦＦＴ処理手段によるＩＦＦＴ処理結果のシンボル列を並べ換えたシンボル列を生成する並べ換え結果生成手段と、
前記並べ換え結果生成手段により生成されたシンボル列にガードインターバルを付加するガードインターバル付加手段と、
前記ガードインターバル付加手段によりガードインターバルが付加されて生成されたＯＦＤＭ信号を無線により送信する無線送信手段と、を備え、
前記受信側のＯＦＤＭ通信装置は、前記送信側のＯＦＤＭ通信装置から無線送信された信号を受信する無線受信手段と、
前記無線受信手段により受信された信号に基づいて、当該信号の遅延時間に関する情報を検出する遅延情報検出手段と、
前記遅延情報検出手段により検出された情報を送信元となる前記送信側のＯＦＤＭ通信装置に対して送信する遅延情報送信手段と、
前記無線受信手段により受信された信号に対してＦＦＴ窓の位置を設定するＦＦＴ窓位置設定手段と、
前記ＦＦＴ窓位置設定手段により設定されたＦＦＴ窓の位置に基づいて、前記無線受信手段により受信された信号をＦＦＴ処理するＦＦＴ処理手段と、
前記ＦＦＴ処理手段によるＦＦＴ処理結果に基づいて復調を行う復調手段と、を備えた、
ことを特徴とする無線通信システム。
【請求項３】
ＯＦＤＭ変調方式により送信側のＯＦＤＭ通信装置と受信側のＯＦＤＭ通信装置とが無線通信を行う無線通信方法において、
前記受信側のＯＦＤＭ通信装置は、前記送信側のＯＦＤＭ通信装置から受信された信号に基づいて当該信号の遅延時間に関する情報を検出し、検出した情報を前記送信側のＯＦＤＭ通信装置に対して送信し、
前記送信側のＯＦＤＭ通信装置は、前記受信側のＯＦＤＭ通信装置から送信された前記遅延時間に関する情報を受信し、送信対象となる信号をＩＦＦＴ処理し、受信した前記遅延時間に関する情報に基づいて前記遅延時間を送信側で補償するようにＩＦＦＴ処理結果のシンボル列を並べ換えたシンボル列を生成し、生成したシンボル列にガードインターバルを付加し、ガードインターバルを付加して生成したＯＦＤＭ信号を無線により送信し、
前記受信側のＯＦＤＭ通信装置は、前記送信側のＯＦＤＭ通信装置から受信された信号に対してＦＦＴ窓の位置を設定し、設定したＦＦＴ窓の位置に基づいて前記送信側のＯＦＤＭ通信装置から受信された信号をＦＦＴ処理し、ＦＦＴ処理結果に基づいて復調を行う、
ことを特徴とする無線通信方法。
【発明の詳細な説明】
【技術分野】
【０００１】
本発明は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式を使用するＯＦＤＭ通信装置などに関し、特に、受信側でＦＦＴ窓の位置を効果的に設定することが可能な技術に関する。
【背景技術】
【０００２】
図３には、ＯＦＤＭ変調方式を使用してデジタル無線通信を行う無線通信システムの構成例として、送信機の構成例及び受信機の構成例を示してある。
本例の送信機は、ＩＦＦＴ（Ｉｎｖｅｒｓｅ  Ｆａｓｔ  Ｆｏｕｒｉｅｒ  Ｔｒａｎｓｆｏｒｍ）処理部１０１と、ガードインターバル付加部１０２と、ＦＩＲ（Ｆｉｎｉｔｅ  Ｉｍｐｕｌｓｅ  Ｒｅｓｐｏｎｓｅ）フィルタ１０３と、Ｄ／Ａ（Ｄｉｇｉｔａｌ  ｔｏ  Ａｎａｌｏｇ）変換部１０４と、送信アンテナ（ＴＸ）１０５を備えている。
本例の受信機は、受信アンテナ（ＲＸ）１１１と、Ａ／Ｄ（Ａｎａｌｏｇ  ｔｏ  Ｄｉｇｉｔａｌ）変換部１１２と、ＦＦＴ（Ｆａｓｔ  Ｆｏｕｒｉｅｒ  Ｔｒａｎｓｆｏｒｍ）窓位置設定部１１３と、ＦＦＴ処理部１１４と、等化／復調部１１５を備えている。
【０００３】
本例の無線通信システムにおける動作の一例を示す。
送信機では、ＩＦＦＴ処理部１０１によりＩＦＦＴ処理した信号に対してガードインターバル付加部１０２によりガードインターバルを付加し、これにより生成された信号（ＯＦＤＭ信号）をＦＩＲフィルタ１０３によりフィルタリングした後にＤ／Ａ変換部１０４によりデジタル信号からアナログ信号へ変換して、送信アンテナ１０５により無線送信する。
受信機では、受信アンテナ１１１により受信された信号（ＯＦＤＭ信号）をＡ／Ｄ変換部１１２によりアナログ信号からデジタル信号へ変換し、これにより得られた信号に対してＦＦＴ窓位置設定部１１３によりＦＦＴ窓の位置を設定した後にＦＦＴ処理部１１４によりＦＦＴ処理を行い、これにより得られた信号に対して等化／復調部１１５により等化処理及び復調処理を行う。
【０００４】
図４（ａ）には、送信機から送信されるＯＦＤＭの送信信号の一例を示してある。有効シンボル部分の末尾の一部が、ガードインターバルとして先頭部分にコピーされている。
図４（ｂ）には、受信機により受信されるＯＦＤＭの受信信号の一例及びＦＦＴ窓の一例を示してある。送信機から遅延量（遅延時間）τで受信されている。
【０００５】
【特許文献１】特開２００１−２８５１５４号公報
【発明の開示】
【発明が解決しようとする課題】
【０００６】
ところで、図３に示されるような送信機が２つ存在して、これら２つの送信機から無線送信された信号を図３に示されるような１つの受信機により受信する場合を考える。
この場合、受信機により受信される信号はそれぞれの送信機から異なる遅延量τ１、τ２だけ遅延した信号の合成波となるため、これら両方の送信機からの受信信号に対して適切なＦＦＴ窓の位置を設定することができず、少なくとも一方の送信機からの受信信号については適切なＦＦＴ窓の位置からずれてしまう。
【０００７】
ここで、例えば、受信機においてメモリなどを用いて受信シンボルの並べ換え処理を行って適切なＦＦＴ窓位置となるように試みることも考えられるが、伝送路の影響で遅延量τ１、τ２の値は異なっているため、並べ換え処理を行ったとしても、いずれかの受信信号に対しては適切なＦＦＴ窓位置を設けることができない。
このため、片方の受信信号が遅延波として見えてしまい、特性が劣化してしまう可能性がある。更に、各受信信号にはマルチパスが発生することを考えると、それによっても特性が劣化してしまう可能性がある。このような特性劣化を防ぐためには、受信側のフィルタ帯域やシンボル中のガードインターバルを広くすることなどが考えられるが、この場合には、その結果として、回路規模が大きくなり、データ伝送容量が小さくなってしまう。
【０００８】
以上のように、複数の信号を受信するシステムでは、受信信号に対して同期処理や並べ換え処理を行うことでＦＦＴ窓の位置を設定することを考えた場合、各受信信号の遅延量が異なることから、合成波に含まれるそれぞれの信号に対して適切なＦＦＴ窓位置を設定することができず、その結果、特性が劣化してしまう可能性があるといった問題があった。
【０００９】
本発明は、このような従来の事情に鑑み為されたもので、例えば複数の送信信号の合成波を受信側で受信するような場合に、受信側でＦＦＴ窓の位置を効果的に設定することが可能なＯＦＤＭ通信装置などを提供することを目的とする。
【課題を解決するための手段】
【００１０】
上記目的を達成するため、本発明では、ＯＦＤＭ変調方式により無線通信を行うＯＦＤＭ通信装置において、次のような構成とした。
すなわち、遅延情報受信手段が、自装置（当該ＯＦＤＭ通信装置）から信号を送信する先となる受信側の装置から、当該信号の遅延時間に関する情報を受信する。ＩＦＦＴ処理手段が、送信対象となる信号をＩＦＦＴ処理する。並べ換え結果生成手段が、前記遅延情報受信手段により受信された情報に基づいて、前記遅延時間を送信側で補償するように、前記ＩＦＦＴ処理手段によるＩＦＦＴ処理結果のシンボル列を並べ換えたシンボル列を生成する。ガードインターバル付加手段が、前記並べ換え結果生成手段により生成されたシンボル列にガードインターバルを付加する。無線送信手段が、前記ガードインターバル付加手段によりガードインターバルが付加されて生成されたＯＦＤＭ信号を無線により送信する。
【００１１】
従って、送信側から受信側へ伝送される信号の遅延時間が送信側において補償されてから送信されるため、例えば、複数の送信信号の合成波を受信側で受信するような場合に、受信側でＦＦＴ窓の位置を効果的に設定することができ、品質の良い受信処理を行うことができる。
このような構成は、特に、複数の送信側（例えば、複数の送信側の装置や、或いは、同一の送信側の装置に備えられた複数のアンテナ、など）から無線により送信される信号を１つの受信側（１つのアンテナ）により受信するシステムに適用して、非常に効果的なものである。なお、複数の送信側から送信される信号としては、例えば、異なるデータの信号であってもよく、或いは、同一のデータの信号であってもよい。
【００１２】
ここで、送信側から受信側へ信号が伝送されるときの遅延時間に関する情報を検出する場合に参照される信号としては、種々なものが用いられてもよく、例えば、データを通信するためのＯＦＤＭ信号中に挿入されるパイロット信号を用いることができ、或いは、データを通信するためのＯＦＤＭ信号とは別に所定の信号（例えば、プリアンブルの信号）を送信して、当該所定の信号を用いることができる。
【００１３】
また、信号の遅延時間に関する情報としては、種々なものが用いられてもよく、例えば、信号の遅延時間の値の情報が用いられてもよく、或いは、所定の基準遅延時間に対する信号の遅延時間の差分の情報が用いられてもよく、或いは、複数の信号の遅延時間の差を補償するような場合には、複数の信号の遅延時間の差を特定する情報が用いられてもよい。
また、遅延時間を定める単位としては、必ずしも現実の時間の単位が用いられなくてもよく、例えば、シンボル単位やサンプリング単位など、種々なものが用いられてもよい。
【００１４】
また、受信側の装置から送信側の装置へ遅延時間に関する情報を通知する手法としては、種々な手法が用いられてもよく、例えば、受信側の装置から送信側の装置へ情報を無線により送信する手法を用いることができる。
また、ＩＦＦＴ処理結果のシンボル列を並べ換えたシンボル列を生成する手法としては、例えば、切り出して取得したシンボル列の先頭の一部を末尾へ移動するように並べ換えるような手法を用いることができ、或いは、このような並べ換えられた結果のシンボル列を最初から切り出して取得するような手法が用いられてもよい。
【００１５】
本発明では、ＯＦＤＭ変調方式により送信側のＯＦＤＭ通信装置と受信側のＯＦＤＭ通信装置とが無線通信を行う無線通信システムにおいて、次のような構成とした。
すなわち、前記送信側のＯＦＤＭ通信装置では、遅延情報受信手段が、自装置（当該ＯＦＤＭ通信装置）から信号を送信する先となる前記受信側のＯＦＤＭ通信装置から、当該信号の遅延時間に関する情報を受信する。ＩＦＦＴ処理手段が、送信対象となる信号をＩＦＦＴ処理する。並べ換え結果生成手段が、前記遅延情報受信手段により受信された情報に基づいて、前記遅延時間を送信側で補償するように、前記ＩＦＦＴ処理手段によるＩＦＦＴ処理結果のシンボル列を並べ換えたシンボル列を生成する。ガードインターバル付加手段が、前記並べ換え結果生成手段により生成されたシンボル列にガードインターバルを付加する。無線送信手段が、前記ガードインターバル付加手段によりガードインターバルが付加されて生成されたＯＦＤＭ信号を無線により送信する。
【００１６】
また、前記受信側のＯＦＤＭ通信装置では、無線受信手段が、前記送信側のＯＦＤＭ通信装置から無線送信された信号を受信する。遅延情報検出手段が、前記無線受信手段により受信された信号に基づいて、当該信号の遅延時間に関する情報を検出する。遅延情報送信手段が、前記遅延情報検出手段により検出された情報を送信元となる前記送信側のＯＦＤＭ通信装置に対して送信する。ＦＦＴ窓位置設定手段が、前記無線受信手段により受信された信号に対してＦＦＴ窓の位置を設定する。ＦＦＴ処理手段が、前記ＦＦＴ窓位置設定手段により設定されたＦＦＴ窓の位置に基づいて、前記無線受信手段により受信された信号をＦＦＴ処理する。復調手段が、前記ＦＦＴ処理手段によるＦＦＴ処理結果に基づいて復調を行う。
【００１７】
従って、受信側から送信側へ信号の遅延時間に関する情報が通知されて、送信側から受信側へ伝送される信号の遅延時間が送信側において補償されてから送信されるため、例えば、複数の送信信号の合成波を受信側で受信するような場合に、受信側でＦＦＴ窓の位置を効果的に設定することができ、品質の良い受信処理を行うことができる。
【００１８】
本発明では、ＯＦＤＭ変調方式により送信側のＯＦＤＭ通信装置と受信側のＯＦＤＭ通信装置とが無線通信を行う無線通信方法において、次のような構成とした。
すなわち、前記受信側のＯＦＤＭ通信装置は、前記送信側のＯＦＤＭ通信装置から受信された信号に基づいて当該信号の遅延時間に関する情報を検出し、検出した情報を前記送信側のＯＦＤＭ通信装置に対して送信する。
また、前記送信側のＯＦＤＭ通信装置は、前記受信側のＯＦＤＭ通信装置から送信された前記遅延時間に関する情報を受信し、送信対象となる信号をＩＦＦＴ処理し、受信した前記遅延時間に関する情報に基づいて前記遅延時間を送信側で補償するようにＩＦＦＴ処理結果のシンボル列を並べ換えたシンボル列を生成し、生成したシンボル列にガードインターバルを付加し、ガードインターバルを付加して生成したＯＦＤＭ信号を無線により送信する。
また、前記受信側のＯＦＤＭ通信装置は、前記送信側のＯＦＤＭ通信装置から受信された信号に対してＦＦＴ窓の位置を設定し、設定したＦＦＴ窓の位置に基づいて前記送信側のＯＦＤＭ通信装置から受信された信号をＦＦＴ処理し、ＦＦＴ処理結果に基づいて復調を行う。
【００１９】
従って、受信側から送信側へ信号の遅延時間に関する情報が通知されて、送信側から受信側へ伝送される信号の遅延時間が送信側において補償されてから送信されるため、例えば、複数の送信信号の合成波を受信側で受信するような場合に、受信側でＦＦＴ窓の位置を効果的に設定することができ、品質の良い受信処理を行うことができる。
【００２０】
なお、本発明は、プログラムや、記録媒体などとして提供することも可能である。
本発明に係るプログラムでは、装置やシステムを構成するコンピュータに実行させるものであって、各種の手段として当該コンピュータを機能させる。
本発明に係る記録媒体では、装置やシステムを構成するコンピュータに実行させるプログラムを当該コンピュータの入力手段により読み取り可能に記録したものであって、当該プログラムは各種の処理（手順）を当該コンピュータに実行させる。
【発明の効果】
【００２１】
以上説明したように、本発明によると、ＯＦＤＭ変調方式により送信側のＯＦＤＭ通信装置と受信側のＯＦＤＭ通信装置とが無線通信を行うに際して、送信側から受信側へ伝送される信号の遅延時間が送信側において補償されてから送信されるため、例えば、複数の送信信号の合成波を受信側で受信するような場合に、受信側でＦＦＴ窓の位置を効果的に設定することができ、品質の良い受信処理を行うことができる。
【発明を実施するための最良の形態】
【００２２】
本発明に係る実施例を図面を参照して説明する。
図１には、本発明の一実施例に係るＯＦＤＭ変調方式を使用してデジタル無線通信を行う無線通信システムの構成例として、２つの送信機の構成例及び１つの受信機の構成例を示してある。
ここで、２つの送信機として、送信機（１）及び送信機（２）を示してあり、本例では、これらの送信機の構成や動作は同様である。
本例では、ＯＦＤＭ通信装置に送信機及び受信機（送受信機）が備えられており、２つのＯＦＤＭ通信装置が送信側の装置（送信機（１）、（２））となっており、１つのＯＦＤＭ通信装置が受信側の装置（受信機）となっている。
【００２３】
本例の各送信機は、ＩＦＦＴ処理部１、１１と、並べ換え処理部２、１２と、ガードインターバル付加部３、１３と、ＦＩＲフィルタ４、１４と、Ｄ／Ａ変換部５、１５と、送信アンテナ（ＴＸ１、ＴＸ２）６、１６を備えている。
本例の受信機は、受信アンテナ（ＲＸ）２１と、Ａ／Ｄ変換部２２と、遅延量算出部２３と、ＦＦＴ窓位置設定部２４と、ＦＦＴ処理部２５と、等化／復調部２６を備えている。
【００２４】
本例の無線通信システムにおける動作の一例を示す。
各送信機により行われる動作の一例を示す。
ＩＦＦＴ処理部１、１１は、送信対象となる信号（データ）をＩＦＦＴ処理し、その結果の信号を並べ換え処理部２、１２へ出力する。
並べ換え処理部２、１２は、受信機から通知された遅延量に関する情報に基づいて、ＩＦＦＴ処理部１、１１から入力された信号（シンボル）を並べ換えて、その結果の信号をガードインターバル付加部３、１３へ出力する。本例では、各送信機（１）、（２）についての遅延量τ１、τ２を補償するように、つまり、受信機において各送信機（１）、（２）についての遅延量τ１、τ２がなくなるように、並べ換えを行う。
ガードインターバル付加部３、１３は、並べ換え処理部２、１２から入力された信号に対してガードインターバルを付加し、これにより生成された信号（ＯＦＤＭ信号）をＦＩＲフィルタ４、１４へ出力する。
【００２５】
ＦＩＲフィルタ４、１４は、ガードインターバル付加部３、１３から入力された信号をフィルタリングし、その結果の信号をＤ／Ａ変換部５、１５へ出力する。
Ｄ／Ａ変換部５、１５は、ＦＩＲフィルタ４、１４から入力された信号をデジタル信号からアナログ信号へ変換して、送信アンテナ６、１６へ出力する。
送信アンテナ６、１６は、Ｄ／Ａ変換部５、１５から入力された信号を無線により送信する。
【００２６】
受信機により行われる動作の一例を示す。
受信アンテナ２１は、各送信機から無線送信された信号（ＯＦＤＭ信号）の合成波を受信し、受信した信号をＡ／Ｄ変換部２２へ出力する。
Ａ／Ｄ変換部２２は、受信アンテナ２１から入力された受信信号をアナログ信号からデジタル信号へ変換して、遅延量算出部２３及びＦＦＴ窓位置設定部２４へ出力する。
【００２７】
遅延量算出部２３は、Ａ／Ｄ変換部２２から入力された受信信号に基づいて、各送信機（１）、（２）からの受信信号の遅延量（遅延時間）τ１、τ２を算出し、その算出結果を例えば無線通信を使用して各送信機（１）、（２）へ通知する。この無線通信としては、例えば、図１に示される受信機を有するＯＦＤＭ通信装置が有する送信機から、図１に示される各送信機（１）、（２）を有する各ＯＦＤＭ通信装置が有する受信機への無線通信を用いることができる。また、各送信機（１）、（２）では、受信機から受信された自機に関する遅延量τ１、τ２の情報が、並べ換え処理部２、１２へ通知される。
【００２８】
ここで、遅延量算出部２３により各送信機からの受信信号の遅延量を算出する手法としては、種々な手法が用いられてもよく、例えば、各送信機から送信される所定の信号に基づいて受信される信号のタイミング（遅延量）を検出するような手法を用いることができる。
具体的な一例として、各送信機（各アンテナ）から送信されるＯＦＤＭ信号中にパイロット信号を挿入し、各送信機（各アンテナ）毎にパイロット信号を挿入する位置（タイミング）を変えて、ある送信機（あるアンテナ）からパイロット信号を送信するタイミングでは他の送信機（他のアンテナ）からはパイロット信号を送信しないようにして、受信機において、各送信機（各アンテナ）からのパイロット信号の受信タイミングに基づいて、各送信機（各アンテナ）についての遅延量を検出するような手法を用いることができる。
具体的な他の一例として、通信データを送信するためのＯＦＤＭ信号より前に、予め、各送信機（各アンテナ）から所定の信号（例えば、プリアンブルの信号）を各送信機（各アンテナ）毎に異なるタイミングで送信し、受信機において、各送信機（各アンテナ）からの所定の信号の受信タイミングに基づいて、各送信機（各アンテナ）についての遅延量を検出するような手法を用いることができる。
【００２９】
ＦＦＴ窓位置設定部２４は、Ａ／Ｄ変換部２２から入力された受信信号に対してＦＦＴ窓の位置を設定し、受信信号やＦＦＴ窓の位置の情報をＦＦＴ処理部２５へ出力する。
ＦＦＴ処理部２５は、ＦＦＴ窓位置設定部２４から入力されたＦＦＴ窓の位置の情報に基づいて、ＦＦＴ窓位置設定部２４から入力された受信信号に対してＦＦＴ処理を行い、その結果の信号を等化／復調部２６へ出力する。
等化／復調部２６は、ＦＦＴ処理部２５から入力された信号に対して等化処理及び復調処理を行う。これにより、各送信機から受信された信号の復調結果（データ）が得られる。
【００３０】
図２を参照して、本例の並べ換え処理部２、１２により行われる並べ替え処理について詳しく説明する。
図２（ａ）には、一般的なＯＦＤＭ信号の一例を示してある。有効シンボル部分の末尾の一部が、ガードインターバルとして先頭部分にコピーされている。
図２（ｂ）には、受信機から遅延量τ１を通知された送信機（１）の並べ換え処理部２により行われる並べ替え処理の一例を示してある。シンボルの先頭部分のうちで遅延量τ１に相当する部分が、末尾へ移動するように並べ換えられている。
図２（ｃ）には、受信機から遅延量τ２を通知された送信機（２）の並べ換え処理部１２により行われる並べ替え処理の一例を示してある。シンボルの先頭部分のうちで遅延量τ２に相当する部分が、末尾へ移動するように並べ換えられている。
なお、本例では、τ１＜τ２としてある。
【００３１】
図２（ｄ）には、送信機（１）のガードインターバル付加部３によりガードインターバル（ＧＩ）を付加したＯＦＤＭ信号の一例を示してある。図２（ｂ）に示される有効シンボル部分の末尾の一部が、ガードインターバルとして先頭部分にコピーされている。
図２（ｅ）には、送信機（２）のガードインターバル付加部１３によりガードインターバル（ＧＩ）を付加したＯＦＤＭ信号の一例を示してある。図２（ｃ）に示される有効シンボル部分の末尾の一部が、ガードインターバルとして先頭部分にコピーされている。
【００３２】
図２（ｆ）には、送信機（１）から送信される送信信号（１）の一例を示してある。送信タイミングとしては、例えば、本例のような並べ換えを行わない場合と同じ送信タイミングが用いられている。
図２（ｇ）には、送信機（２）から送信される送信信号（２）の一例を示してある。送信タイミングとしては、例えば、本例のような並べ換えを行わない場合と同じ送信タイミングが用いられている。
【００３３】
図２（ｈ）には、受信機において送信機（１）から受信された受信信号（１）の一例を示してある。この受信信号（１）には、遅延量（遅延時間）τ１が発生している。
図２（ｉ）には、受信機において送信機（２）から受信された受信信号（２）の一例を示してある。この受信信号（２）には、遅延量（遅延時間）τ２が発生している。
また、図２（ｈ）及び図２（ｉ）には、受信機のＦＦＴ窓位置設定部２４により設定される２つの受信信号（１）、（２）について共通なＦＦＴ窓の位置の一例を示してある。本例では、各送信機（１）、（２）の側でシンボルの並べ換えにより各遅延量τ１、τ２を補償しているため、受信機において、２つの受信信号（１）、（２）に対して両方に適切なＦＦＴ窓位置（本例では、有効シンボルに合った位置）を設定することができる。
【００３４】
ここで、各送信機（１）、（２）の並べ換え処理部２、１２によりシンボルを並べ換える範囲としては、送信機（１）、（２）における各信号間で異なり得るものであり、また、τ１、τ２が変動するのを考慮するならば毎ＯＦＤＭシンボルで異なり得るものであり、その範囲を特定する情報（遅延量の情報）が受信機から各送信機（１）、（２）へ伝えられる。受信機では、遅延量算出部２３により各受信信号（各送信信号）（１）、（２）の遅延量を算出して、その算出結果を各送信機（１）、（２）の並べ換え処理部２、１２へ伝えることにより、各送信機（１）、（２）では、予め遅延量τ１、τ２を考慮した並べ換え処理を行うことができる。
これにより、受信機では、ＦＦＴ窓位置設定部２４によりＦＦＴ窓の位置を設定した時点で、２つの受信信号（１）、（２）に対して適切なＦＦＴ窓位置を設定することができ、等化や復調の特性の劣化を防ぐことができる。
【００３５】
以上のように、本例では、ＯＦＤＭ変調方式により複数の信号を送受信する無線通信システムにおいて、送信側（送信機）は、ガードインターバルを付加する前にシンボルの並び換えを行う並び換え処理部２、１２を備え、また、受信側（受信機）は、受信信号に対してＦＦＴ窓位置を設定するＦＦＴ窓位置設定部２４と、受信信号に含まれる複数の信号のそれぞれの遅延量を算出する遅延量算出部２３を備え、算出した遅延量を各送信側へ通知する。そして、受信側で算出した各信号の遅延量を基に送信側で事前に並び換え処理を行った信号を送信することにより、受信側では適切なＦＦＴ窓位置を設定することができる。
【００３６】
このように、送信側で事前に並べ換え処理を行うことで、複数の送信アンテナから送信するシンボルタイミングは同時でありながら、シンボル中のデータ自身に遅延量を与えることができる。
従って、本例の受信側では、複数の受信信号の間で遅延差が生じていても、あたかも同時に受信しているとみなすことができるため、受信側で並び換え処理を行わなくても、受信信号に含まれるそれぞれの信号に対して適切なＦＦＴ窓位置を設定することができ、例えば、受信側の回路規模の低減や受信側での処理負荷の軽減を実現しつつ、受信信号処理の特性劣化を防いで特性の改善を実現することができる。
【００３７】
また、例えば、一般に、送信タイミングをずらすためにはハードウエアの変更が必要であるが、本例のように、送信タイミングをずらすのではなく、シンボルを並べ換える構成では、ハードウエアの変更が行われてもよいが、ソフトウエアを変更するだけで容易に実現することが可能である。
【００３８】
ここで、本例では、送信側が２つであり受信側が１つである構成を示したが、他の構成例として、送信側が３つ以上であり受信側が１つであるような構成を用いることも可能である。また、送信側が１つであり受信側が１つである構成においても動作することが可能である。
また、本例では、複数の異なる送信機のアンテナから１つの受信機に対してそれぞれの信号が送信される場合を示したが、他の構成例として、同一の送信機に備えられた複数のアンテナから１つの受信機に対してそれぞれの信号が送信される構成が用いられてもよく、或いは、複数の送信機が存在して、且つ、その内の１つ以上の送信機が複数のアンテナを備えるような構成が用いられてもよい。一般に、同一の送信機に備えられた異なるアンテナからの信号の遅延時間差と比べて、離隔した異なる送信機のアンテナからの信号の遅延時間差の方が大きくなり、本例のような構成が特に有効となる。
【００３９】
また、例えば、複数の送信機（複数のアンテナ）から１つの受信機に対して異なるデータの信号を送信して、受信機がそれぞれのデータを復調するような構成が用いられてもよく、或いは、複数の送信機（複数のアンテナ）から１つの受信機に対して同一のデータの信号を送信して、受信機がこれらのデータを合成或いは選択などして復調するような構成が用いられてもよい。複数の送信機（複数のアンテナ）から１つの受信機に対して異なるデータを送信する場合には、データの通信量を大きくすることが可能である。
【００４０】
また、送信側におけるシンボルの並べ換え処理では、例えば、図２（ｂ）や図２（ｃ）に示されるようなＩＦＦＴ処理結果のシンボル列が複数連続して（図中では、左右に）並んでいるような場合には、そこから切り出すシンボル部分の位置を遅延量に基づいてずらす（シフトさせる）ことにより、並べ換え処理と同様な処理結果を取得することも可能である。
【００４１】
また、例えば、複数の送信信号の周波数が異なるような場合には、受信側で各受信信号（各送信信号）を分離してから各受信信号毎にＦＦＴ窓の位置を設定するようなことも可能であると考えられるが、本例の構成では、受信側で各受信信号（各送信信号）を分離せずにまとめてＦＦＴ窓位置の設定及びＦＦＴ処理を行うことができ、非常に効率的である。
また、本例のような構成は、例えば、ＭＩＭＯ（Ｍｕｌｔｉ  Ｉｎｐｕｔ  Ｍｕｌｔｉ  Ｏｕｔｐｕｔ）やＯＦＤＭＡ（ＯＦＤＭアクセス）などに適用することも可能である。
【００４２】
なお、本例のそれぞれの送信側のＯＦＤＭ通信装置の送信機（１）、（２）では、ＩＦＦＴ処理部１、１１の機能によりＩＦＦＴ処理手段が構成されており、並べ換え処理部２、１２の機能により並べ換え結果生成手段が構成されており、ガードインターバル付加部３、１３の機能によりガードインターバル付加手段が構成されており、送信アンテナ６、１６を用いて無線送信する機能により無線送信手段が構成されており、受信側のＯＦＤＭ通信装置から送信される遅延量（遅延時間）に関する情報を受信して並べ換え処理部２、１２により取得する機能により遅延情報受信手段が構成されている。
また、本例の受信側のＯＦＤＭ通信装置の受信機では、受信アンテナ２１を用いて無線受信する機能により無線受信手段が構成されており、遅延量算出部２３により遅延量（遅延時間）に関する情報を検出する機能により遅延情報検出手段が構成されており、それぞれの送信側のＯＦＤＭ通信装置の送信機（１）、（２）について検出された遅延量（遅延時間）に関する情報をそれぞれの送信機（１）、（２）へ送信する機能により遅延情報送信手段が構成されており、ＦＦＴ窓位置設定部２４の機能によりＦＦＴ窓位置設定手段が構成されており、ＦＦＴ処理部２５の機能によりＦＦＴ処理手段が構成されており、等化／復調部２６により復調を行う機能により復調手段が構成されている。
【００４３】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００４４】
【図１】本発明の一実施例に係る無線通信システムの構成例を示す図である。
【図２】送信側における２つの信号の並べ換えの一例を示す図である。
【図３】無線通信システムの構成例を示す図である。
【図４】ＦＦＴ窓位置の設定の一例を示す図である。
【符号の説明】
【００４５】
１、１１、１０１・・ＩＦＦＴ処理部、  ２、１２・・並べ換え処理部、  ３、１３、１０２・・ガードインターバル付加部、  ４、１４、１０３・・ＦＩＲフィルタ、  ５、１５、１０４・・Ｄ／Ａ変換部、  ６、１６、１０５・・送信アンテナ、  ２１、１１１・・受信アンテナ、  ２２、１１２・・Ａ／Ｄ変換部、  ２３・・遅延量算出部、  ２４、１１３・・ＦＦＴ窓位置設定部、  ２５、１１４・・ＦＦＴ処理部、  ２６、１１５・・等化／復調部、
【図１】
2009017181.tif 000003
【図２】
2009017181.tif 000004
【図３】
2009017181.tif 000005
【図４】
2009017181.tif 000006